(57)【要約】【課題】本発明は、液晶表示装置の駆動方法、駆動装置及び液晶表示装置を提供し、液晶表示分野に属する。【解決手段】前記駆動方法は、受信した画像データによりサブ画素のグレースケールデータを生成するステップと、複数のサブ画素を１つの処理ユニットとして、前記複数のサブ画素におけるサブ画素毎のグレースケールデータにそれぞれ対応するグレースケール電圧極性信号を生成し、前記グレースケール電圧極性信号が前記複数のサブ画素のグレースケール電圧の全体的な極性をゼロに接近させるステップと、サブ画素毎のグレースケールデータ及び対応する極性信号を液晶表示装置のソースドライバに出力するステップと、を備える。本発明は、緑付着、クロストーク、及びフリッカー等の、共通電圧のじょう乱による表示不良を改善できる。【選択図】図１０
2014056239.tif 000002
【特許請求の範囲】
【請求項１】
受信された画像データによってサブ画素のグレースケールデータを生成するステップと、
複数のサブ画素を１つの処理ユニットとして、前記複数のサブ画素におけるサブ画素毎のグレースケールデータにそれぞれ対応するグレースケール電圧極性信号を生成し、前記グレースケール電圧極性信号が前記複数のサブ画素のグレースケール電圧の全体的な極性をゼロに接近させるステップと、
サブ画素毎のグレースケールデータ及び対応する極性信号を液晶表示装置のソースドライバに出力するステップとを備えることを特徴とする液晶表示装置の駆動方法。
【請求項２】
前記複数のサブ画素を１つの処理ユニットとして、前記複数のサブ画素におけるサブ画素毎のグレースケールデータにそれぞれ対応するグレースケール電圧極性信号を生成するステップは、
前記複数のサブ画素における第１のサブ画素のグレースケールデータに対応するグレースケール電圧極性信号を初期値に設置するステップと、
前記複数のサブ画素における第ｎのサブ画素のグレースケールデータに対応するグレースケール電圧極性信号を、前のｎ−１個のサブ画素のグレースケールデータに対応するグレースケール電圧の累積和による極性信号と反対する極性信号に設定し、２≦ｎ≦Ｍ、Ｍが前記複数のサブ画素におけるサブ画素の総数であるステップと、を備えることを特徴とする請求項１に記載の液晶表示装置の駆動方法。
【請求項３】
前記複数のサブ画素は、半分の行のサブ画素、複数行のサブ画素又は所定領域内のサブ画素であることを特徴とする請求項２に記載の液晶表示装置の駆動方法。
【請求項４】
前記複数のサブ画素が１行のサブ画素であり、前記複数のサブ画素を１つの処理ユニットとして、前記複数のサブ画素におけるサブ画素毎のグレースケールデータにそれぞれ対応するグレースケール電圧極性信号を生成するステップは、
行毎の第１列のサブ画素のグレースケールデータに対応するグレースケール電圧極性信号を初期値に設置するステップと、
行毎の第ｎ列のサブ画素のグレースケールデータに対応するグレースケール電圧極性信号を、当該行における前のｎ−１列のサブ画素のグレースケールデータに対応するグレースケール電圧の累積和による極性信号と反対する極性信号に設置し、２≦ｎ≦Ｎ、Ｎが１行におけるサブ画素の総数であるステップと、を備えることを特徴とする請求項１に記載の液晶表示装置の駆動方法。
【請求項５】
前記画像データの１つのフレーム画面において、隣接する２行の第１列のサブ画素に対応する前記初期値は極性が反対することを特徴とする請求項４に記載の液晶表示装置の駆動方法。
【請求項６】
前記画像データの隣接する２つのフレーム画面の第１行第１列のサブ画素に対応する前記初期値は極性が反対することを特徴とする請求項４に記載の液晶表示装置の駆動方法。
【請求項７】
タイミング制御装置と、ゲートドライバと、ソースドライバとを備える液晶表示装置の駆動装置であって、
複数のサブ画素を１つの処理ユニットとして、前記複数のサブ画素において、サブ画素毎のグレースケールデータにそれぞれ対応するグレースケール電圧極性信号を生成し、前記グレースケール電圧極性信号が前記複数のサブ画素のグレースケール電圧の全体的な極性をゼロに接近させる極性分析器と、
受信した画像データによってサブ画素のグレースケールデータを生成し、前記サブ画素毎のグレースケールデータ、及び前記極性分析器で得られる対応するグレースケール電圧極性信号を、前記ソースドライバに出力するタイミング制御装置と、をさらに備えることを特徴とする液晶表示装置の駆動装置。
【請求項８】
前記極性分析器は、
前記複数のサブ画素における第１のサブ画素のグレースケールデータに対応するグレースケール電圧極性信号を初期値に設置する第1の設置ユニットと、
前記複数のサブ画素における第ｎのサブ画素のグレースケールデータに対応するグレースケール電圧極性信号を、前のｎ−１個のサブ画素のグレースケールデータに対応するグレースケール電圧の累積和による極性信号と反対する極性信号に設置し、２≦ｎ≦Ｍ、Ｍが前記複数のサブ画素におけるサブ画素の総数である第２の設置ユニットと、をさらに備えることを特徴とする請求項７に記載の液晶表示装置の駆動装置。
【請求項９】
前記複数のサブ画素は、半分の行のサブ画素、複数行のサブ画素又は所定領域内のサブ画素であることを特徴とする請求項８に記載の液晶表示装置の駆動装置。
【請求項１０】
前記複数のサブ画素が１行のサブ画素であり、前記極性分析器は、
行毎の第１列のサブ画素のグレースケールデータに対応するグレースケール電圧極性信号を初期値に設置する第３の設置ユニットと、
行毎の第ｎ列のサブ画素のグレースケールデータに対応するグレースケール電圧極性信号を、当該行における前のｎ−１列のサブ画素のグレースケールデータに対応するグレースケール電圧の累積和による極性信号と反対する極性信号に設置し、２≦ｎ≦Ｎ、Ｎが１行におけるサブ画素の総数である第４の設置ユニットと、をさらに備えることを特徴とする請求項７に記載の液晶表示装置の駆動装置。
【請求項１１】
前記画像データの１つのフレーム画面において、隣接する２行の第１列のサブ画素に対応する前記初期値は反対であることを特徴とする請求項１０に記載の液晶表示装置の駆動装置。
【請求項１２】
前記画像データの隣接する２つのフレーム画面の第１行第１列のサブ画素に対応する前記初期値は反対であることを特徴とする請求項１０に記載の液晶表示装置の駆動装置。
【請求項１３】
請求項７〜１２のいずれか1項に記載の駆動装置及び前記駆動装置に接続される液晶パネルを備えることを特徴とする液晶表示装置。
【発明の詳細な説明】
【技術分野】
【０００１】
本発明は、液晶表示分野に関し、特に、緑付着、クロストーク、及びフリッカー等の、共通電圧のじょう乱による不良表示を改善できる液晶表示装置の駆動方法、駆動装置及び液晶表示装置に関する。
【背景技術】
【０００２】
目前、薄膜トランジスタ液晶ディスプレイ（ＴＦＴ−ＬＣＤ）は、広く用いられている表示方式である。図１は、従来の薄膜トランジスタ液晶表示装置の駆動回路のブロック図である。図１に示すように、前記駆動回路は、タイミング制御装置（ＴＣＯＮ）、ソースドライバ（Ｓｏｕｒｃｅ Ｄｒｉｖｅｒ）、ゲートドライバ（Ｇａｔｅ Ｄｒｉｖｅｒ）及びグレースケール電圧発生器を備える。タイミング制御装置は、グレースケールデータ信号ＲＧＢ、極性反転信号ＰＯＬ、及びラッチ信号ＴＰを、ソースドライバに送信し、フレーム開始信号ＳＴＶ、クロック信号ＣＰＶ、及び出力イネーブル信号ＯＥを、ゲートドライバに送信し、ソースドライバ及びゲートドライバは、行列信号をそれぞれ出力して、液晶表示パネル（ＬＣＤパネル）を表示させるように制御する。
【０００３】
液晶表示は電圧駆動タイプであり、即ち、液晶セルの両端に異なる電圧を印加し、表示を実現するように液晶セルの透過率を制御する。画素毎は、一般的に、Ｒ、Ｇ、Ｂの３色のサブ画素に分けられる。サブ画素の一端は、いずれも共通電圧Ｖｃｏｍと称される同じ電圧が印加される共通電位であり、サブ画素の他端は、ソースドライバによって提供される画素電圧である。液晶セルに印加される電圧が１つの極性を維持すると、液晶が偏極されて失効するため、液晶駆動がいずれも極性反転の方式によって行われる。画素電圧が共通電圧Ｖｃｏｍより小さいと、ネガティブドライブと称し、画素電圧が共通電圧Ｖｃｏｍより大きいと、ポジティブドライブと称する。極性反転の方式は、様々であり、例えば、フレーム反転、ライン反転、列反転、ドット反転等である。図２は、従来のドット反転駆動方式の概略図であり、隣接するサブ画素の駆動極性が反対する。図２に示すように、具体的に、第Ｎフレームの場合、第１行第１列のサブ画素の極性は、＋（ポジティブドライブ）であり、第１行第２列のサブ画素の極性は、−（ネガティブドライブ）であり、第１行第３列のサブ画素の極性は、＋（ポジティブドライブ）であり、その他もこのように類推し、第２行第１列のサブ画素の極性は−であり、第２行第２列のサブ画素の極性は＋であり、第２行第３列のサブ画素の極性は−であり、その他もこのように類推し、次のフレーム（Ｎ＋１フレーム）画面の場合、サブ画素の極性は、いずれも第Ｎフレームの場合と反対する。このような駆動方式によって、画面品質が最適になり、画面全体の極性がバランスされる。
【発明の概要】
【発明が解決しようとする課題】
【０００４】
然し、ある特別な画面には、極性がバランスしない状況が依然として存在し、緑付着現像をもたらす。例えば、ウィンドウ画面を表示する場合、ウィンドウの両側の色が他の部分の色と異なり、即ち、所謂横クロストークが生じる可能性がある。これは、液晶表示が行走査の方式を用いるため、ある行のゲート電極がオンするとき、サブ画素の画素電圧がいずれもデータ電極を介してサブ画素毎に書き込まれるが、データ電極とＶｃｏｍ電極との間に結合容量があり、ある行の画素電圧がバランスしないと、容量結合効果が生じてＶｃｏｍ電圧をプルし、実際に書き込まれる電圧が間違うようになるからである。図３に示すように、ドット反転の駆動方式を用いるが、隣接する２つの画素のグレースケール電圧の振幅が異なるため、第１行の画素電圧が全体的に負に偏り、Ｖｃｏｍ電圧を下にプルし、第２行の画素電圧が全体的に正に偏り、Ｖｃｏｍ電圧を上にプルする。Ｖｃｏｍが基準共通電圧であるため、Ｖｃｏｍの偏移によって、画素両端の実際の電圧は誤差が生じる。
【課題を解決するための手段】
【０００５】
本発明は、緑付着、クロストーク、及びフリッカー等の、共通電圧のじょう乱による不良を改善する液晶表示装置の駆動方法、駆動装置及び液晶表示装置を提供する。
【０００６】
本発明は、上記技術問題を解決するために、以下の技術案を提供する。
【０００７】
液晶表示装置の駆動方法であって、
受信した画像データによってサブ画素のグレースケールデータを生成するステップと、
複数のサブ画素を１つの処理ユニットとして、前記複数のサブ画素におけるサブ画素毎のグレースケールデータにそれぞれ対応するグレースケール電圧極性信号を生成し、前記グレースケール電圧極性信号は、前記複数のサブ画素のグレースケール電圧の全体的な極性をゼロに接近させるステップと、
サブ画素毎のグレースケールデータ及び対応する極性信号を液晶表示装置のソースドライバに出力するステップと、を備える。
【０００８】
上述した方法では、前記複数のサブ画素を１つの処理ユニットとして、前記複数のサブ画素におけるサブ画素毎のグレースケールデータにそれぞれ対応するグレースケール電圧極性信号を生成するステップは、
前記複数のサブ画素における第１のサブ画素のグレースケールデータに対応するグレースケール電圧極性信号を初期値に設置するステップと、
前記複数のサブ画素における第ｎのサブ画素のグレースケールデータに対応するグレースケール電圧極性信号を、前のｎ−１個のサブ画素のグレースケールデータに対応するグレースケール電圧の累積和による極性信号と反対する極性信号に設置し、２≦ｎ≦Ｍ、Ｍが前記複数のサブ画素が備えるサブ画素の総数であるステップと、を備える。
【０００９】
上述した方法では、前記複数のサブ画素が半分の行のサブ画素、複数行のサブ画素又は所定領域内のサブ画素である。
【００１０】
上述した駆動方法では、前記複数のサブ画素を１つの処理ユニットとして、前記複数のサブ画素におけるサブ画素毎のグレースケールデータにそれぞれ対応するグレースケール電圧極性信号を生成するステップは、
行毎のサブ画素を１つの処理ユニットとして、行毎のサブ画素毎のグレースケールデータにそれぞれ対応するグレースケール電圧極性信号を生成し、前記グレースケール電圧極性信号が、対応する行のグレースケール電圧の全体的な極性をゼロに接近させるステップを備える。
【００１１】
上述した駆動方法では、前記行毎のサブ画素毎のグレースケールデータにそれぞれ対応するグレースケール電圧極性信号を生成するステップは、
行毎の第１列のサブ画素のグレースケールデータに対応するグレースケール電圧極性信号を初期値に設置するステップと、
行毎の第ｎ列のサブ画素のグレースケールデータに対応するグレースケール電圧極性信号を、当該行における前のｎ−１列のサブ画素のグレースケールデータに対応するグレースケール電圧の累積和による極性信号と反対する極性信号に設置し、２≦ｎ≦Ｎ、Ｎが１行におけるサブ画素の総数であるステップと、を備える。
【００１２】
上述した駆動方法では、前記画像データの１つのフレーム画面において、隣接する２行の第１列のサブ画素に対応する前記初期値は極性が反対である。
【００１３】
上述した駆動方法では、前記画像データの隣接する２つのフレーム画面における第１行第１列のサブ画素に対応する前記初期値は極性が反対する。
【００１４】
上述した駆動方法では、前記行毎のサブ画素毎のグレースケールデータにそれぞれ対応するグレースケール電圧極性信号を生成するステップは、具体的に、極性分析器により液晶表示装置の駆動特性によって分析することで行われるのである。
【００１５】
液晶表示装置の駆動装置であって、タイミング制御装置、ゲートドライバ及びソースドライバを備え、極性分析器をさらに備え、
前記極性分析器は、複数のサブ画素を１つの処理ユニットとして、前記複数のサブ画素においてサブ画素毎のグレースケールデータにそれぞれ対応するグレースケール電圧極性信号を生成し、前記グレースケール電圧極性信号が前記複数のサブ画素のグレースケール電圧の全体的な極性をゼロに接近させ、
前記タイミング制御装置は、受信した画像データによってサブ画素のグレースケールデータを生成し、前記サブ画素毎のグレースケールデータ、及び前記極性分析器で得られる対応するグレースケール電圧極性信号を、前記ソースドライバに出力する。
【００１６】
上述した駆動装置では、前記極性分析器は、
前記複数のサブ画素における第１のサブ画素のグレースケールデータに対応するグレースケール電圧極性信号を初期値に設置する第1の設置ユニットと、
前記複数のサブ画素における第ｎのサブ画素のグレースケールデータに対応するグレースケール電圧極性信号を、前のｎ−１個のサブ画素のグレースケールデータに対応するグレースケール電圧の累積和による極性信号と反対する極性信号に設置し、２≦ｎ≦Ｍ、Ｍが前記複数のサブ画素が備えるサブ画素の総数である第２の設置ユニットと、をさらに備える。
【００１７】
上述した駆動装置では、前記複数のサブ画素は、半分の行のサブ画素、複数行のサブ画素又は所定領域内のサブ画素である。
【００１８】
上述した駆動装置では、
前記極性分析器は、具体的に、行毎のサブ画素を１つの処理ユニットとして、行毎のサブ画素毎のグレースケールデータにそれぞれ対応するグレースケール電圧極性信号を生成し、前記グレースケール電圧極性信号が、対応する行のグレースケール電圧の全体的な極性をゼロに接近させる。
【００１９】
上述した駆動装置では、前記極性分析器は、
行毎の第１列のサブ画素のグレースケールデータに対応するグレースケール電圧極性信号を初期値に設置する第３の設置ユニットと、
行毎の第ｎ列のサブ画素のグレースケールデータに対応するグレースケール電圧極性信号を、当該行における前のｎ−１列のサブ画素のグレースケールデータに対応するグレースケール電圧の累積和による極性信号と反対する極性信号に設置し、２≦ｎ≦Ｎ、Ｎが１行におけるサブ画素の総数である第４の設置ユニットと、をさらに備える。
【００２０】
上述した駆動装置では、
前記画像データの１つのフレーム画面において、隣接する２行の第１列のサブ画素に対応する前記初期値が反対である。
【００２１】
上述した駆動装置では、
前記画像データの隣接する２つのフレーム画面における第１行第１列のサブ画素に対応する前記初期値が反対である。
【００２２】
上述した駆動装置では、前記極性分析器は、液晶表示装置の駆動特性を分析することで、行毎のサブ画素毎のグレースケールデータにそれぞれ対応するグレースケール電圧極性信号を生成する。
【００２３】
液晶表示装置であって、上述した駆動装置及び前記駆動装置に接続される液晶パネルを備える。
【００２４】
本発明の実施例に係る液晶表示装置の駆動方法は、従来技術に対して、受信した画像データによってサブ画素のグレースケールデータを生成し、複数のサブ画素においてサブ画素毎のグレースケールデータにそれぞれ対応するグレースケール電圧極性信号を生成し、そして、サブ画素毎のグレースケールデータ及び対応する極性信号を液晶表示装置のソースドライバに出力し、前記グレースケール電圧極性信号が複数のサブ画素のグレースケール電圧の全体的な極性をゼロに接近させることができるため、共通電圧Ｖｃｏｍをプルする影響が避けられ、緑付着、クロストーク及びフリッカー等の、共通電圧のじょう乱による不良が改善され、表示効果が向上される。
【００２５】
本発明の実施例に係る液晶表示装置の駆動装置では、極性分析器が追加されたため、前記極性分析器は、複数のサブ画素のグレースケールデータを分析し、前記複数のサブ画素においてサブ画素毎のグレースケールデータにそれぞれ対応するグレースケール電圧極性信号を生成し、前記グレースケール電圧極性信号が複数のサブ画素の極性をゼロに接近させるため、共通電圧Ｖｃｏｍをプルする影響が避けられ、緑付着、クロストーク、及びフリッカー等の、共通電圧のじょう乱による不良が改善され、表示効果が向上される。
【図面の簡単な説明】
【００２６】
【図１】従来の薄膜トランジスタ液晶ディスプレイの駆動回路のブロック図である。
【図２】従来のドット反転駆動方式の概略図である。
【図３】従来のドット反転駆動方式によって生じる共通電圧がプルされる状況を示す概略図である。
【図４】本発明の実施例に係る液晶表示装置の構造図である。
【図５】本発明の実施例のタイミング制御装置の構造図である。
【図６】本発明の実施例において、極性分析器に処理される前の１つのフレーム画面のグレースケールデータを示す概略図である。
【図７】本発明の実施例において、グレースケールデータとグレースケール電圧振幅との対応関係表を示す概略図である。
【図８】本発明の実施例において極性分析器で処理されたデータの概略図である。
【図９】本発明の実施例において極性分析器で処理された後の効果図である。
【図１０】本発明の実施例に係る液晶表示装置の駆動方法のフローチャートである。
【発明を実施するための形態】
【００２７】
以下、本発明の目的、技術案及び利点をさらに明確にするため、図面及び具体的な実施例を組み合わせて本発明を詳しく説明する。
【００２８】
液晶表示を駆動する場合に、行毎のサブ画素のグレースケール電圧極性がバランスしないと、共通電圧Ｖｃｏｍがプルされ、緑付着、クロストーク及びフリッカー等の表示不良が生じる。本発明の実施例は、複数のサブ画素を１つの処理ユニットとして、前記複数のサブ画素においてサブ画素毎のグレースケールデータにそれぞれ対応するグレースケール電圧極性信号を生成し、前記グレースケール電圧極性信号は、複数のサブ画素のグレースケール電圧の全体的な極性をゼロに接近させることによって、共通電圧Ｖｃｏｍをプルすることが避けられ、上記表示不良が改善される。
【００２９】
本発明は、緑付着、クロストーク及びフリッカー等の、共通電圧のじょう乱による表示不良を改善する液晶表示装置の駆動方法を提供する。
【００３０】
図１０は、本発明の実施例に係る液晶表示装置の駆動方法のフローチャートである。図１０に示すように、前記駆動方法は、以下のステップを備えてもよい。
【００３１】
ステップ１０１、受信した画像データによってサブ画素のグレースケールデータを生成する。
外部から入力された画像データを得て、外部から入力された画像データを処理し、サブ画素のグレースケールデータ（ＲＧＢデータ）を生成する。
【００３２】
ステップ１０２、複数のサブ画素を１つの処理ユニットとして、前記複数のサブ画素においてサブ画素毎のグレースケールデータにそれぞれ対応するグレースケール電圧極性信号を生成し、前記グレースケール電圧極性信号が、前記複数のサブ画素のグレースケール電圧の全体的な極性をゼロに接近させる。
具体的に、前記複数のサブ画素における第１のサブ画素のグレースケールデータに対応するグレースケール電圧極性信号を初期値に設置し、そして、前記複数のサブ画素における第ｎのサブ画素のグレースケールデータに対応するグレースケール電圧極性信号を、前のｎ−１個のサブ画素のグレースケールデータに対応するグレースケール電圧の累積和による極性信号と反対する極性信号に設置し、ここで、２≦ｎ≦Ｍ、Ｍは前記複数のサブ画素におけるサブ画素の総数であり、前記複数のサブ画素のグレースケール電圧の全体的な極性をゼロに接近させる。
【００３３】
前記複数のサブ画素は、１行における幾つかのサブ画素であってもよいし、半分の行のサブ画素、２行のサブ画素又は複数行のサブ画素であってもよく、或いは、所定領域内のサブ画素であってもよい。例えば、半分の行で駆動する場合、半分の行のサブ画素を１つの処理ユニットとしてもよく、領域の駆動を用いるとき、所定領域内のサブ画素を１つの処理ユニットとしてもよい。
【００３４】
１つの例示では、前記ステップ１０２は、行毎のサブ画素を１つの処理ユニットとして、行毎のサブ画素毎のグレースケールデータにそれぞれ対応するグレースケール電圧極性信号を生成し、前記グレースケール電圧極性信号は、対応する行のグレースケール電圧の全体的な極性をゼロに接近させる。
【００３５】
前記ステップ１０２は、具体的に、極性分析器によって、液晶表示装置の駆動特性を分析してサブ画素毎のグレースケール電圧極性信号を生成するのである。
【００３６】
図６は、１つのフレーム画面のグレースケールデータ（ＲＧＢデータ）を示す。液晶表示装置の駆動特性は、グレースケールデータと、サブ画素の両端に実際に印加される電圧との対応関係を決めるため、グレースケールデータとグレースケール電圧振幅との対応関係テーブル、即ち、ルックアップテーブルのデータは、液晶表示装置の駆動特性によって決められる。該グレースケールデータとグレースケール電圧振幅との対応関係は、具体的に、グレースケール電圧発生器によって実現することができる。
【００３７】
図７は、常時白モードの液晶ディスプレイのグレースケールデータとグレースケール電圧振幅との対応関係テーブル、即ち、ルックアップテーブルの概略図である。即ち、０グレースケールの電圧が最も高く、２５５グレースケールの電圧が最も低く、電圧を印加しない場合、白画面を表示する。
【００３８】
図７は３レベルのルックアップテーブルであり、０、３２、６４、９６、１２７、１６０、１９２、２２４、２５５の電圧はルックアップテーブルから直接に得られる。他の電圧、例えば、２０グレースケールは、０と、３２との２つのグレースケールの挿入値から得られる。計算の精度を向上するために、ルックアップテーブルは、４レベル、５レベル、ひいては８レベルに追加されてもよい。
【００３９】
極性信号を生成する具体的な方法は、
行毎の第１列のサブ画素のグレースケールデータに対応するグレースケール電圧極性信号を初期値に設置するステップと、
行毎の第ｎ列のサブ画素のグレースケールデータに対応するグレースケール電圧極性信号を、当該行における前のｎ−１列のサブ画素のグレースケールデータに対応するグレースケール電圧（グレースケール電圧振幅及びグレースケール電圧極性を備える）の累積和による極性信号と反対する極性信号に設置し、ここで、２≦ｎ≦Ｎ、Ｎが１行におけるサブ画素の総数であるステップと、を備えてもいい。
【００４０】
図６に示す１つのフレーム画面に対して、第１行第１列のサブ画素のグレースケールデータが１２７であり、図７に示すルックアップテーブルを調べて、対応するグレースケール電圧振幅が１.８であり、極性信号の初期値を＋に設置し、即ち、グレースケール電圧が＋１.８である。第１行第２列のサブ画素のグレースケールデータが０であり、図７に示すルックアップテーブルを調べて、対応する電圧振幅が４.０であり、第１行第１列のサブ画素のグレースケール電圧極性が正であるため、該電圧極性信号が負に設定され、即ち、グレースケール電圧が−４.０であり、第１行の前の２列のグレースケール電圧の累積和が１.８＋（−４.０）=−２.６であり、負極性であるため、第１行第３列のサブ画素のグレースケール電圧極性信号が＋に設定され、当該行における後続の各列のデータの極性は、いずれもその前のデータの極性により判断し、当該列における前のグレースケール電圧の累積和による極性が負であると、該サブ画素の極性信号が正であり、当該列における前のグレースケール電圧の累積和による極性が正であると、該サブ画素の極性信号が負である。
【００４１】
画像データの１つのフレーム画面において、隣接する２行の第１列のサブ画素に対応する前記初期値は極性が反対であってもよい。第２行第１列のグレースケールデータに対応するグレースケール電圧極性信号の初期値は、第１行第１列のグレースケール電圧極性と反対し、即ち、負である。後続の列毎のデータの極性は、同じ方法によって得られ、他の行のグレースケール電圧極性は、同じ方法によって設置され、隣接する２行のグレースケール電圧極性をできるだけ反対させる。
【００４２】
画像データの隣接する２つのフレーム画面の第１行第１列のサブ画素に対応する前記初期値は極性が反対であってもよい。同一のサブ画素に対して、隣接する２つのフレームのグレースケール電圧極性を反対させるように、次のフレーム画面に対して、第１行第１列のサブ画素のグレースケール電圧極性を前のフレームと反対する負に設置する。
【００４３】
ステップ１０３、サブ画素毎のグレースケールデータ及び対応する極性信号を液晶表示装置のソースドライバに出力する。
ソースドライバは、サブ画素毎のグレースケールデータ及び対応する極性信号を受信した後、前記グレースケールデータ及び極性信号により、対応する画素電圧を液晶パネルに出力し、液晶パネルを表示するように制御することができる。
【００４４】
本発明の実施例に係る液晶表示装置の駆動方法は、受信した画像データによって、サブ画素のグレースケールデータを生成し、行毎のサブ画素毎のグレースケールデータにそれぞれ対応するグレースケール電圧極性信号を生成し、そして、サブ画素毎のグレースケールデータ及び対応する極性信号を液晶表示装置のソースドライバに出力し、前記グレースケール電圧極性信号が、対応する行のグレースケール電圧の全体的な極性をゼロに接近させることができるため、共通電圧Ｖｃｏｍをプルする影響が避けられ、緑付着、クロストーク、及びフリッカー等の、共通電圧のじょう乱による表示不良が改善され、表示効果が向上される。
【００４５】
本発明は、緑付着、クロストーク、及びフリッカー等の、共通電圧のじょう乱による表示不良を改善する液晶表示装置の駆動装置を提供する。
【００４６】
図４は、本発明の実施例に係る液晶表示装置の構造図である。図４を参照しながら、前記液晶表示装置は、駆動装置及び前記駆動装置に接続される液晶パネルを備えてもよい。
【００４７】
本発明の実施例に係る前記液晶表示装置の駆動装置は、具体的に、タイミング制御装置（ＴＣＯＮ）、ソースドライバ（Ｓｏｕｒｃｅ Ｄｒｉｖｅｒ）、ゲートドライバ（Ｇａｔｅ Ｄｒｉｖｅｒ）及びグレースケール電圧発生器を備えてもよい。タイミング制御装置は、グレースケールデータ（ＲＧＢ）、グレースケールデータ毎に対応するグレースケール電圧極性信号ＰＯＬ、及びラッチ信号ＴＰを、ソースドライバに送信し、フレーム開始信号ＳＴＶ、クロック信号ＣＰＶ、及び出力イネーブル信号ＯＥを、ゲートドライバに送信し、ソースドライバ及びゲートドライバは、行列信号をそれぞれ出力し、液晶表示パネル（ＬＣＤパネル）を表示するように制御する。
【００４８】
図４から分かるように、本発明の実施例では、極性反転信号ＰＯＬが一定せず、サブ画素毎のグレースケール電圧極性信号は、タイミング制御装置における極性分析器に生成される。なお、本発明の実施例は、極性分析器がタイミング制御装置に備えられることに限らない。
【００４９】
極性分析器は、複数のサブ画素を１つの処理ユニットとして、前記複数のサブ画素においてサブ画素毎のグレースケールデータにそれぞれ対応するグレースケール電圧極性信号を生成し、前記グレースケール電圧極性信号が、前記複数のサブ画素のグレースケール電圧の全体的な極性をゼロに接近させる。
【００５０】
具体的に、前記極性分析器は、
前記複数のサブ画素における第１のサブ画素のグレースケールデータに対応するグレースケール電圧極性信号を初期値に設置する第1の設置ユニットと、
前記複数のサブ画素における第ｎのサブ画素のグレースケールデータに対応するグレースケール電圧極性信号を、前のｎ−１個のサブ画素のグレースケールデータに対応するグレースケール電圧の累積和による極性信号と反対する極性信号に設置し、２≦ｎ≦Ｍ、Ｍが前記複数のサブ画素におけるサブ画素の総数である第２の設置ユニットと、を備えてもよい。
【００５１】
前記複数のサブ画素は、１行における幾つかのサブ画素であってもよいし、半分の行のサブ画素、２行のサブ画素又は複数行のサブ画素であってもよく、或いは、所定領域内のサブ画素であってもよい。例えば、半分の行の駆動の場合、半分の行のサブ画素を１つの処理ユニットとしてもよく、領域駆動の場合、所定領域内のサブ画素を１つの処理ユニットとしてもよい。
【００５２】
前記極性分析器は、行毎のサブ画素のグレースケールデータを計算することで、当該行におけるサブ画素毎のグレースケールデータにそれぞれ対応するグレースケール電圧極性信号を算出し、該極性信号をグレースケールデータとともにソースドライバに入力し、ソースドライバによってデータ電圧を生じてＬＣＤパネルを駆動することが好ましい。サブ画素毎の極性信号がいずれも極性分析器によって算出されて生成されるため、行毎のグレースケール電圧の全体的な極性をゼロに接近するように制御することができ、共通電圧Ｖｃｏｍをプルする影響が避けられる。
【００５３】
図５は本発明の実施例に係るタイミング制御装置の構造図である。図５を参照しながら、前記タイミング制御装置は、データ受信装置、データ処理装置、極性分析器、ルックアップテーブル、データ送信装置、及び制御信号発生器を備えてもよい。データ受信装置は、外部から入力される画像データを受信し、データ処理装置は、入力された画像データを処理して、サブ画素のグレースケールデータ（ＲＧＢデータ）を生成し、１行のグレースケールデータが極性分析器に分析された後、グレースケールデータ毎にそれぞれ対応するグレースケール電圧極性信号ＰＯＬが生成され、ルックアップテーブルは、極性分析器の分析のための根拠を供給し、極性分析器が生成するグレースケールデータにグレースケール電圧極性信号ＰＯＬを加えてデータ送信装置に入力され、データ送信装置は、グレースケールデータ及び対応するグレースケール電圧極性信号ＰＯＬをソースドライバに送信し、制御信号発生器は、ラッチ信号ＴＰ、フレーム開始信号ＳＴＶ、クロック信号ＣＰＶ及び出力イネーブル信号ＯＥを生成し、ソースドライバ又はゲートドライバにそれぞれ出力する。
【００５４】
本発明の実施例では、前記極性分析器は、液晶表示装置の駆動特性を分析することによって、サブ画素毎のグレースケールデータにそれぞれ対応するグレースケール電圧極性信号を生成する。前記極性分析器は、行毎のサブ画素を１つの処理ユニットとして、行毎のサブ画素毎のグレースケールデータにそれぞれ対応するグレースケール電圧極性信号を生成し、前記グレースケール電圧極性信号は、対応する行のグレースケール電圧の全体的な極性をゼロに接近させる。前記極性分析器は、
行毎の第１列のサブ画素のグレースケールデータに対応するグレースケール電圧極性信号を初期値に設置する第３の設置ユニットと、
行毎の第ｎ列のサブ画素のグレースケールデータに対応するグレースケール電圧極性信号を、当該行における前のｎ−１列のサブ画素のグレースケールデータに対応するグレースケール電圧（グレースケール電圧振幅及びグレースケール電圧極性を備える）の累積和による極性信号と反対する極性信号に設置し、２≦ｎ≦Ｎ、Ｎが１行におけるサブ画素の総数である第４の設置ユニットと、をさらに備える。
【００５５】
画像データの１つのフレーム画面において、隣接する２行の第１列のサブ画素に対応する前記初期値は極性が反対であり、画像データの隣接する２つのフレーム画面の第１行第１列のサブ画素に対応する前記初期値は極性が反対であってもよい。
【００５６】
以下、極性分析器の作動方法を例に説明する。
図６は、データ処理装置が生成する１フレーム画面のグレースケールデータ（ＲＧＢデータ）を示す。グレースケールデータとサブ画素の両端に実際に印加される電圧との間に対応関係があるため、図７に示すように、該グレースケールデータとグレースケール電圧振幅との対応関係は、グレースケール電圧発生器によって実現される。図７に示すグレースケールデータとグレースケール電圧振幅との対応関係は、常時白モードの液晶ディスプレイであり、即ち、０グレースケールの電圧が最も高く、２５５グレースケールの電圧が最も低く、電圧が印加されない場合は白画面を表示する。グレースケールとグレースケール電圧振幅との対応関係により、ルックアップテーブルを作成する。図７に示すルックアップテーブルは、３レベルののルックアップテーブルであり、０、３２、６４、９６、１２７、１６０、１９２、２２４、２５５の電圧がテーブルから直接に得られる。他の電圧、例えば、２０グレースケールは、０と、３２との２つのグレースケールの挿入値から得られる。計算の精度を向上するため、ルックアップテーブルは、４レベル、５レベル、ひいては８レベルに追加されてもよい。
【００５７】
図６に示す１つのフレーム画面に対して、第１行第１列のサブ画素のグレースケールデータが１２７であり、図７に示すルックアップテーブルを調べて、対応するグレースケール電圧振幅が１.８であり、極性信号の初期値を＋に設定し、即ち、グレースケール電圧が１.８であり、第１行第２列のサブ画素のグレースケールデータが０であり、図７に示すルックアップテーブルを調べて、対応するグレースケール電圧振幅が４.０であり、第１行第１列のサブ画素のグレースケール電圧極性が正であるため、該電圧の極性信号を負に設定し、即ち、グレースケール電圧が−４.０であり、第１行の前の２列のグレースケール電圧の累積和が１.８＋（−４.０）=−２.６であり、極性が負であり、第１行第３列のサブ画素のグレースケール電圧極性信号を＋に設定し、当該行における後続の各列のデータの極性をいずれも前のデータの極性によって判断し、当該列における前のグレースケール電圧の累積和による極性が負であると、該サブ画素の極性信号が正であり、当該列における前のグレースケール電圧の累積和による極性が正であると、該サブ画素の極性信号が負である。
【００５８】
第２行第１列のグレースケールデータに対応するグレースケール電圧極性信号の初期値は、第１行第１列のグレースケール電圧極性と反対し、即ち、負である。後続の各列のデータの極性も同じ方法で得られ、他の行のグレースケール電圧極性も同じ方法で設置され、隣接する２行のグレースケール電圧極性をできるだけ反対させる。次のフレーム画面に対して、第１行第１列のサブ画素のグレースケール電圧極性を負に設定し、前のフレームと反対して、同一のサブ画素に対して、隣接する２つのフレームのグレースケール電源の極性を反対させる。
【００５９】
上述した計算により、極性分析器で分析して得る最終的なデータテーブルは図８に示され、その実施効果図は図９に示され、行毎の極性はいずれもゼロに接近する。図３は、同一のフレーム画面に対して、従来のドット反転の方式により、Ｖｃｏｍをプルする効果を示す。一般的に、液晶表示パネルの解像度が高くて、１行には３０００個以上のサブ画素、ひいては６０００個のサブ画素を有する。本発明の実施例に係る上述した極性バランスの計算により、いずれの画面に対しても、行毎のグレースケール電圧極性が全体的にゼロに接近するため、緑付着、クロストーク、及びフリッカー等の、共通電圧のじょう乱による表示不良が改善され、表示効果が向上される。
【００６０】
本発明の実施例に係る液晶表示装置の駆動装置は、極性分析器を追加したため、前記極性分析器は、行毎のサブ画素のグレースケールデータを分析し、行毎のサブ画素毎のグレースケールデータにそれぞれ対応するグレースケール電圧極性信号を生成し、前記グレースケール電圧極性信号に対応する行の極性をゼロに接近させるため、共通電圧Ｖｃｏｍをプルする影響が避けられ、緑付着、クロストーク、及びフリッカー等の、共通電圧のじょう乱による表示不良が改善され、表示効果が向上される。
【００６１】
以上の実施例は、本発明は本発明の技術案を説明するものに過ぎず、本発明を限定するものではない。本発明技術案の精神から逸脱しない場合、本発明の技術を補正、均等的な取替え及び改善などは、本発明の保護範囲に入るべきである。
【図１】
2014056239.tif 000003
【図２】
2014056239.tif 000004
【図３】
2014056239.tif 000005
【図４】
2014056239.tif 000006
【図５】
2014056239.tif 000007
【図６】
2014056239.tif 000008
【図７】
2014056239.tif 000009
【図８】
2014056239.tif 000010
【図９】
2014056239.tif 000011
【図１０】
2014056239.tif 000012